(57)【要約】【課題】信号線を結線する際の作業性を向上させる。【解決手段】電圧を測定する少なくとも３つの電圧測定回路と、電流を測定する少なくとも３つの電流測定回路と、各電圧測定回路および各電流測定回路を基板本体上に形成した回路基板がその内部に収容されると共に入力端子６ａ，６ｂがその背面パネル８１に配設されかつ表示部４がその前面パネル８２に配設されたケース８を備えて構成され、回路基板は、１枚の横長の第１基板本体における長手方向に沿って各電圧測定回路を第１基板本体上に配列して形成した１枚の電圧測定回路基板２１と、１枚の横長の第２基板本体における長手方向に沿って各電流測定回路を第２基板本体上に配列して形成した１枚の電流測定回路基板２２とで構成され、両測定回路基板２１，２１は、その長手方向と両パネル８１，８２の幅方向とが平行となる状態でケース８の内部に配設されている。【選択図】図７
2010139392.tif 000002
【特許請求の範囲】
【請求項１】
電気信号を入力して電圧を測定する少なくとも３つの電圧測定回路と、電気信号を入力して電流を測定する少なくとも３つの電流測定回路と、前記各電圧測定回路および前記各電流測定回路を基板本体上に形成した回路基板がその内部に収容されると共に前記電気信号を入力する入力端子がその背面パネルに配設されかつ表示部がその前面パネルに配設された筐体を備えて、前記各測定回路によって測定された電圧値および電流値に基づいて少なくとも３つの測定対象体に供給されている電力を測定可能に構成された電力測定装置であって、
前記回路基板は、１枚の横長の第１基板本体における長手方向に沿って前記各電圧測定回路を当該第１基板本体上に配列して形成した１枚の電圧測定回路基板と、１枚の横長の第２基板本体における長手方向に沿って前記各電流測定回路を当該第２基板本体上に配列して形成した１枚の電流測定回路基板とで構成され、
前記電圧測定回路基板および前記電流測定回路基板は、前記長手方向と前記両パネルの幅方向とが平行となる状態で前記筐体の内部に配設されている電力測定装置。
【請求項２】
前記電圧測定回路基板および前記電流測定回路基板は、各々の表面が前記両パネルに対向する状態で前記筐体の内部に配設されている請求項１記載の電力測定装置。
【請求項３】
前記電圧測定回路基板および前記電流測定回路基板のいずれか一方は、前記表面を前記両パネルに対向させた状態における高さが当該両測定回路基板の他方よりも高く形成され、
前記いずれか一方の測定回路基板は、前記他方の測定回路基板よりも前記前面パネル側に位置する状態で前記筐体の内部に配設されている請求項２記載の電力測定装置。
【発明の詳細な説明】
【技術分野】
【０００１】
本発明は、少なくとも３つの測定対象体に供給されている電力を同時に測定可能に構成された電力測定装置に関するものである。
【背景技術】
【０００２】
この種の電力測定装置として、特開２００７−１３２８９７号公報において出願人が開示した電力測定装置が知られている。この電力測定装置は、電圧検出部、電流検出部、表示部、操作部および演算制御部等を備えて構成されている。この電力測定装置では、電圧検出部が、入力した電気信号を処理して電圧データを出力し、電流検出部が、入力した電気信号を処理して電流データを出力する。また、演算制御部が、電圧検出部から出力された電圧データによって特定される電圧の値、電流検出部から出力された電流データによって特定される電流の値、および電圧と電流との間の位相差に基づき、測定対象体に供給されている電力を測定する。この場合、出願人が開発しているこの種の電力装置では、電圧検出部と電流検出部とが１枚の基板本体上に並設されて１枚の回路基板で構成され、その回路基板が筐体内に配設されている。また、この種の電力装置では、筐体の前面パネルに表示部および操作部が配置され、筐体の背面パネルに電気信号を入力させるための入力端子が配設されている。
【特許文献１】特開２００７−１３２８９７号公報（第４−５頁、第１図）
【発明の開示】
【発明が解決しようとする課題】
【０００３】
ところが、出願人が開発している従来のこの種の電力測定装置には、解決すべき以下の課題がある。すなわち、従来の電力測定装置では、電圧検出部および電流検出部が１枚の基板本体上に並設されて１枚の回路基板で構成されている。この場合、この回路基板を複数備えて複数の測定対象体（測定箇所）の電力を測定する多チャンネルの電力測定装置（例えば、図９に示すように、回路基板２２１を４枚備えた電力測定装置２０１）を構成するときには、装置全体を小型化するために、同図に示すように、筐体２０８の背面パネル２８１および前面パネル２８２に対して各回路基板２２１の長手方向が直角をなすようにして、各回路基板２２１を筐体内に配置している。このため、このような多チャンネルの電力測定装置２０１では、回路基板２２１をこのように（同図に示すように）筐体２０８内に配置することに起因して、筐体２０８における前面パネル２８２から背面パネル２８１までの長さ（筐体２０８の奥行）が比較的長くなっている。一方、この種の電力測定装置は、利便性を向上させるために、例えば、入力端子２０６に対する信号線の結線方法を示す結線図や結線方法の説明を表示部２０４に表示させる機能を搭載している。この場合、この機能を使って結線を行う際には、表示部２０４に表示されている結線図と入力端子２０６の位置などとを比較しつつ（見比べつつ）作業を行う必要があるため、表示部２０４が配設されている前面パネル２８２から入力端子２０６が配設されている背面パネル２８１までの長さが短いのが好ましい。しかしながら、従来の電力測定装置２０１では、上記したように筐体２０８における前面パネル２８２から背面パネル２８１までの長さが長いため、上記のような結線作業を行う際の作業性が良くないとの指摘があり、この点の改善が望まれている。一方、各回路基板２２１の長手方向と背面パネル２８１および前面パネル２８２の幅方向とが平行となるようにして、各回路基板２２１を筐体２０８内に配置する構成も考えられる。しかしながら、このように構成したとしても、各回路基板２２１同士を所定の長さだけ離間させる必要があるため、チャンネル数が多いときには、背面パネル２８１までの長さが長くなる。したがって、この構成を採用するのは困難である。
【０００４】
本発明は、かかる課題に鑑みてなされたものであり、信号線を結線する際の作業性を向上し得る電力測定装置を提供することを主目的とする。
【課題を解決するための手段】
【０００５】
上記目的を達成すべく請求項１記載の電力測定装置は、電気信号を入力して電圧を測定する少なくとも３つの電圧測定回路と、電気信号を入力して電流を測定する少なくとも３つの電流測定回路と、前記各電圧測定回路および前記各電流測定回路を基板本体上に形成した回路基板がその内部に収容されると共に前記電気信号を入力する入力端子がその背面パネルに配設されかつ表示部がその前面パネルに配設された筐体を備えて、前記各測定回路によって測定された電圧値および電流値に基づいて少なくとも３つの測定対象体に供給されている電力を測定可能に構成された電力測定装置であって、前記回路基板は、１枚の横長の第１基板本体における長手方向に沿って前記各電圧測定回路を当該第１基板本体上に配列して形成した１枚の電圧測定回路基板と、１枚の横長の第２基板本体における長手方向に沿って前記各電流測定回路を当該第２基板本体上に配列して形成した１枚の電流測定回路基板とで構成され、前記電圧測定回路基板および前記電流測定回路基板は、前記長手方向と前記両パネルの幅方向とが平行となる状態で前記筐体の内部に配設されている。
【０００６】
また、請求項２記載の電力測定装置は、請求項１記載の電力測定装置において、前記電圧測定回路基板および前記電流測定回路基板は、各々の表面が前記両パネルに対向する状態で前記筐体の内部に配設されている。
【０００７】
また、請求項３記載の電力測定装置は、請求項１または２記載の電力測定装置において、前記電圧測定回路基板および前記電流測定回路基板のいずれか一方は、前記表面を前記両パネルに対向させた状態における高さが当該両測定回路基板の他方よりも高く形成され、前記いずれか一方の測定回路基板は、前記他方の測定回路基板よりも前記前面パネル側に位置する状態で前記筐体の内部に配設されている。
【発明の効果】
【０００８】
請求項１記載の電力測定装置では、１枚の横長の第１基板本体における長手方向に沿って３以上の電圧測定回路を第１基板本体上に配列して形成した１枚の電圧測定回路基板と、１枚の横長の第２基板本体における長手方向に沿って３以上の電流測定回路を第２基板本体上に配列して形成した１枚の電流測定回路基板とがその長手方向と筐体の背面パネルおよび前面パネルの幅方向とが平行となる状態で筐体の内部に配設されている。このため、この電力測定装置では、筐体における前面パネルから背面パネルまでの長さ（筐体の奥行）を十分に短く形成することができる結果、例えば、前面パネルに配設されている表示部に表示されている信号線の結線方法説明用の結線図と背面パネルに配設されている入力端子の位置などとを容易に比較する（見比べる）ことができる。したがって、この電力測定装置によれば、上記した結線図を表示部に表示させてその結線図を参考にしつつ入力端子に信号線を結線する作業の作業性を十分に向上させることができる。
【０００９】
また、請求項２記載の電力測定装置では、各々の表面が筐体の背面パネルおよび前面パネルに対向する状態で電圧測定回路基板および電流測定回路基板が筐体の内部に配設されている。このため、この電力測定装置では、例えば、各々の表面が筐体の底面および天面に対向する状態で両測定回路基板を筐体の内部に配設する構成と比較して、筐体における前面パネルから背面パネルまでの長さ（筐体の奥行）をより十分に短く形成することができる。
【００１０】
さらに、請求項３記載の電力測定装置では、その高さが高いいずれか一方の測定回路基板が、他方の測定回路基板よりも筐体の前面パネル側に位置する状態で筐体の内部に配設されている。このため、例えば、筐体の背面パネルにおける天面側に電圧用の入力端子を配設すると共に、筐体の背面パネルにおける電圧用の入力端子の配設位置の下側に電流用の入力端子を配設することで、電圧測定回路基板と電圧用の入力端子との間、および電流測定回路基板と電流用の入力端子との間に障害物がない状態とすることができる。この結果、電圧測定回路基板と電圧用の入力端子との間、および電流測定回路基板と電流用の入力端子との間を短い接続線で接続することができると共に、その接続作業を容易に行うことができる。
【発明を実施するための最良の形態】
【００１１】
以下、本発明に係る電力測定装置の最良の形態について、添付図面を参照して説明する。
【００１２】
最初に、電力測定装置１の構成について、図面を参照して説明する。図１〜図４に示す電力測定装置１は、本発明に係る電力測定装置の一例であって、図１に示すように、複数（本発明における少なくとも３つの一例である４つ）の電圧測定回路２ａ〜２ｄ（以下、区別しないときには「電圧測定回路２」ともいう）、複数（本発明における少なくとも３つの一例である４つ）の電流測定回路３ａ〜３ｄ（以下、区別しないときには「電流測定回路３」ともいう）、表示部４、操作部５、複数（この例では４組）の電圧入力端子６ａ、複数（この例では４組）の電流入力端子６ｂ（以下、電圧入力端子６ａと電流入力端子６ｂとを区別しないときには「入力端子６」ともいう）、制御部７、および各構成要素が収容または配設されるケース（筐体）８（図２〜図４参照）を備えて、複数（この例では、本発明における少なくとも３つの一例である４つ）の測定対象体（測定箇所）に供給されている電力Ｐを測定可能に構成されている。
【００１３】
各電圧測定回路２ａ〜２ｄは、後述する電圧センサ１１から出力される検出信号Ｓｖ（本発明における電気信号の一例）をそれぞれ入力して電圧Ｖの値を測定する。また、各電圧測定回路２ａ〜２ｄは、図５に示すように、長方形状（横長）の１枚の基板本体３１（本発明における第１基板本体）の長手方向に沿って配列されており、これによって１枚で４つの検出信号Ｓｖを入力して電圧Ｖの値を測定する複数の（この例では４つの）チャンネルの電圧測定回路基板２１が形成されている。この場合、電圧測定回路基板２１は、図７，８に示すように、その長手方向（同図における左右方向）とケース８の背面パネル８１および前面パネル８２の幅方向（同図における左右方向）とが平行となり、かつその表面２１ａ（基板本体３１の板面）が両パネル８１，８２に対向する状態でケース８の内部に配設されている。
【００１４】
各電流測定回路３ａ〜３ｄは、後述する電流センサ１２から出力される検出信号Ｓｉ（本発明における電気信号の一例）をそれぞれ入力して電流Ｉの値を測定する。また、各電流測定回路３ａ〜３ｄは、図６に示すように、長方形状（横長）の１枚の基板本体３２（本発明における第２基板本体）の長手方向に沿って配列されており、これによって１枚で４つの検出信号Ｓｉを入力して電流Ｉの値を測定する複数の（この例では４つの）チャンネルの電流測定回路基板２２が形成されている。この場合、電流測定回路基板２２は、図７，８に示すように、その長手方向（同図における左右方向）とケース８の背面パネル８１および前面パネル８２の幅方向（同図における左右方向）とが平行となり、かつその表面２２ａ（基板本体３２の板面）が両パネル８１，８２に対向する状態でケース８の内部に配設されている。
【００１５】
ここで、図８に示すように、この電力測定装置１では、各々の表面２１ａ，２２ａを両パネル８１，８２に対向させた状態において、電圧測定回路基板２１（本発明におけるいずれか一方の測定回路基板）の高さが、電流測定回路基板２２（本発明における他方の測定回路基板）の高さよりも高くなるように形成されている。また、この電力測定装置１では、電圧測定回路基板２１が電流測定回路基板２２よりも前面パネル８２側に位置する状態でケース８の内部に配設されている。
【００１６】
表示部４は、例えばＬＣＤで構成されて、図２，３に示すように、ケース８の前面パネル８２に配設されている。この場合、表示部４は、制御部７の制御に従い、図２に示すように、電力Ｐの測定結果を表示すると共に、図３に示すように、入力端子６に対する各信号線の結線方法を説明する結線図Ｇを表示する。操作部５は、図２，３に示すように、ケース８の前面パネル８２に配設された各種のスイッチを備えて構成されて、スイッチの操作に応じた操作信号を出力する。
【００１７】
電圧入力端子６ａは、電圧センサ１１の信号線を接続するための端子であって、図４に示すように、ケース８の背面パネル８１における天面側に配設されている。なお、電圧センサ１１は、一例として、クランプ型のセンサであって、測定対象体に電力Ｐを供給している電線を挟み込んだ状態において、その電線の電圧Ｖの値を検出して検出信号Ｓｖを出力する。電流入力端子６ｂは、電流センサ１２の信号線を接続するための端子であって、同図に示すように、背面パネル８１における電圧入力端子６ａの配設位置の下側に配設されている。なお、電流センサ１２は、一例として、クランプ型のセンサであって、測定対象体に電力Ｐを供給している電線を挟み込んだ状態において、その電線に流れている電流Ｉを検出して検出信号Ｓｉを出力する。
【００１８】
ここで、この電力測定装置１では、両入力端子６ａ，６ｂを上記のように配設すると共に、上記したように、高さが高い電圧測定回路基板２１を電流測定回路基板２２よりも前面パネル８２側に位置する状態でケース８の内部に配設している。このため、この電力測定装置１では、図８に示すように、電圧測定回路基板２１と電圧入力端子６ａとの間、および電流測定回路基板２２と電流入力端子６ｂとの間に障害物がない状態とすることができる。この結果、電圧測定回路基板２１と電圧入力端子６ａとの間、および電流測定回路基板２２と電流入力端子６ｂとの間を短い接続線で接続することができると共に、その接続作業を容易に行うことができる。
【００１９】
制御部７は、操作部５からの操作信号に従い、各電圧測定回路２によって測定された電圧Ｖの値、各電流測定回路３によって測定された電流Ｉの値、並びに検出信号Ｓｖおよび検出信号Ｓｉによって特定される電圧Ｖと電流Ｉとの間の位相差に基づき、４つの測定対象体に供給されている電力Ｐを測定する。
【００２０】
ケース８は、上記したように、電圧測定回路基板２１および電流測定回路基板２２をその内部に収容する。この場合、この電力測定装置１では、上記したように、横長に形成された１枚の電圧測定回路基板２１、および同じく横長に形成された１枚の電流測定回路基板２２が、その長手方向とケース８の両パネル８１，８２の幅方向とが平行となり、かつその各々の表面２１ａ，２２ａが両パネル８１，８２に対向する状態でケース８の内部に配設される。このため、この電力測定装置１では、ケース８の幅（図２〜図３における左右方向に沿った長さ）が比較的長く形成されると共に、ケース８における前面パネル８２から背面パネル８１までの長さ（つまりケース８の奥行）が十分に短く形成されている。
【００２１】
次に、電力測定装置１を用いて電線（図示せず）を介して測定対象体に供給されている電力Ｐを測定する測定方法について、図面を参照して説明する。
【００２２】
この電力測定装置１は、上記したように、電圧センサ１１および電流センサ１２の信号線を入力端子６に結線する際の結線方法を説明する結線図Ｇを表示させる機能を有している。この機能を利用して各信号線を入力端子６に結線する際には、操作部５を操作して、結線図Ｇの表示を指示する。この際に、操作部５が操作信号を出力し、制御部７が操作信号に従って表示部４を制御することにより、図３に示すように、結線図Ｇが表示される。
【００２３】
次いで、表示部４に表示されている結線図Ｇを見ながら電圧センサ１１の信号線を電圧入力端子６ａに接続すると共に、電流センサ１２の信号線を電流入力端子６ｂに接続する。ここで、この電力測定装置１では、上記したように、ケース８における前面パネル８２から背面パネル８１までの長さ（ケース８の奥行）が十分に短く形成されている。このため、前面パネル８２に配設されている表示部４に表示されている結線図Ｇと背面パネル８１に配設されている入力端子６の位置などとを容易に比較する（見比べる）ことが可能となっている。したがって、この電力測定装置１では、表示部４に結線図Ｇを表示させてその結線図Ｇを参考にして信号線を入力端子６に結線する作業の作業性を十分に向上させることが可能となっている。
【００２４】
続いて、信号線を介して電圧入力端子６ａに接続されている電圧センサ１１で電線を挟み込むと共に、信号線を介して電流入力端子６ｂに接続されている電流センサ１２で電線を挟み込む。次いで、操作部５を操作して、測定開始を指示する。この際に、電圧測定回路２が、電圧センサ１１から出力された検出信号Ｓｖを電圧入力端子６ａを介して入力して、電圧Ｖの値を測定する。また、電流測定回路３が、電流センサ１２から出力された検出信号Ｓｉを電流入力端子６ｂを介して入力して、電流Ｉの値を測定する。
【００２５】
続いて、制御部７は、電圧測定回路２によって測定された電圧Ｖの値、電流測定回路３によって測定された電流Ｉの値、並びに検出信号Ｓｖおよび検出信号Ｓｉによって特定される電圧Ｖと電流Ｉとの間の位相差に基づき、電線を介して測定対象体に供給されている電力Ｐを測定する。次いで、制御部７は、表示部４を制御することにより、図２に示すように、測定した電力Ｐを表示させる。
【００２６】
このように、この電力測定装置１では、１枚の横長の基板本体３１における長手方向に沿って４つの電圧測定回路２を基板本体３１上に配列して形成した１枚の電圧測定回路基板２１と、１枚の横長の基板本体３２における長手方向に沿って４つの電流測定回路３を基板本体３２上に配列して形成した１枚の電流測定回路基板２２とが、その長手方向とケース８の背面パネル８１および前面パネル８２の幅方向とが平行となる状態でケース８の内部に配設されている。このため、この電力測定装置１では、ケース８における前面パネル８２から背面パネル８１までの長さ（ケース８の奥行）を十分に短く形成することができる結果、前面パネル８２に配設されている表示部４に表示されている結線図Ｇと背面パネル８１に配設されている入力端子６の位置などとを容易に比較する（見比べる）ことができる。したがって、この電力測定装置１によれば、結線図Ｇを表示させてその結線図Ｇを参考にしつつ入力端子６に信号線を結線する作業の作業性を十分に向上させることができる。
【００２７】
また、この電力測定装置１では、各々の表面２１ａ，２２ａが背面パネル８１および前面パネル８２に対向する状態で電圧測定回路基板２１および電流測定回路基板２２がケース８の内部に配設されている。このため、この電力測定装置１では、例えば、各々の表面２１ａ，２２ａが底面および天面に対向する状態で両測定回路基板２１，２２をケース８の内部に配設する構成と比較して、ケース８における前面パネル８２から背面パネル８１までの長さ（ケース８の奥行）をより十分に短く形成することができる。
【００２８】
また、この電力測定装置１では、その高さが高い電圧測定回路基板２１が、電流測定回路基板２２よりもケース８の前面パネル８２側に位置する状態でケース８の内部に配設されている。このため、例えば、ケース８の背面パネル８１における天面側に電圧入力端子６ａを配設すると共に、ケース８の背面パネル８１における電圧入力端子６ａの配設位置の下側に電流入力端子６ｂを配設することで、電圧測定回路基板２１と電圧入力端子６ａとの間、および電流測定回路基板２２と電流入力端子６ｂとの間に障害物がない状態とすることができる。この結果、電圧測定回路基板２１と電圧入力端子６ａとの間、および電流測定回路基板２２と電流入力端子６ｂとの間を短い接続線で接続することができると共に、その接続作業を容易に行うことができる。
【００２９】
なお、本発明は、上記の構成に限定されない。例えば、４つの電圧測定回路２を有する４チャンネルの電圧測定回路基板２１、および４つの電流測定回路３を有する４チャンネルの電流測定回路基板２２を備えた例について上記したが、電圧測定回路２および電流測定回路３の数は、４つに限定されず、３つまたは５つ以上の任意の数の電圧測定回路２を有する電圧測定回路基板、および３つまたは５つ以上の任意の数の電流測定回路３を有する電流測定回路基板を採用することができる。この場合、これらの電圧測定回路２を基板本体３１の長手方向に沿って配列して電圧測定回路基板を形成すると共に、これらの電流測定回路３を基板本体３２の長手方向に沿って配列して電流測定回路基板を形成することで、上記した電力測定装置１と同様の効果を実現することができる。
【００３０】
また、電圧センサ１１から出力された検出信号Ｓｖ、および電流センサ１２から出力された検出信号Ｓｉを入力する例について上記したが、電線にプローブを接触させて電圧（電圧信号）や電流（電流信号）を直接入力する構成を採用することもできる。
【図面の簡単な説明】
【００３１】
【図１】電力測定装置１の構成を示す構成図である。
【図２】電力測定装置１の斜視図である。
【図３】電力測定装置１の正面図である。
【図４】電力測定装置１の背面図である。
【図５】電圧測定回路基板２１の平面図である。
【図６】電流測定回路基板２２の平面図である。
【図７】天面側から見た電力測定装置１の平面図である。
【図８】電流測定回路基板２２の側面図である。
【図９】天面側から見た従来の電力測定装置２０１の平面図である。
【符号の説明】
【００３２】
１  電力測定装置
２ａ〜２ｄ  電圧測定回路
３ａ〜３ｄ  電流測定回路
４  表示部
５  操作部
６ａ  電圧入力端子
６ｂ  電流入力端子
８  ケース
２１  電圧測定回路基板
２１ａ  表面
２２  電流測定回路基板
２２ａ  表面
３１  基板本体
３２  基板本体
８１  背面パネル
８２  前面パネル
Ｉ  電流
Ｐ  電力
Ｓｉ  検出信号
Ｓｖ  検出信号
Ｖ  電圧
【図１】
2010139392.tif 000003
【図２】
2010139392.tif 000004
【図３】
2010139392.tif 000005
【図４】
2010139392.tif 000006
【図５】
2010139392.tif 000007
【図６】
2010139392.tif 000008
【図７】
2010139392.tif 000009
【図８】
2010139392.tif 000010
【図９】
2010139392.tif 000011